(57)【要約】      （修正有）【課題】簡単な処理により短時間で決済処理を行うことが可能な物販システムを提供する。【解決手段】ＲＦＩＤ物販システム１は、商品の商品識別情報および価格情報が記録されているＲＦタグが付された商品が投入される商品投入箱１２と、商品投入箱１２に投入された商品のＲＦタグを読み取るＲＦＩＤアンテナ２０と、読み取られたＲＦタグが付された商品の決済処理を行う決済用端末１２０と、決済処理が完了すると、商品投入箱に投入された商品のＲＦタグに対して決済が完了したことを示す情報を書き込むリーダ／ライタ１００とを備える。【選択図】図１
2020057349.tif 000002
【特許請求の範囲】
【請求項１】
商品の商品識別情報および価格情報が記録されているＲＦタグが付された商品が投入される商品投入箱と、
前記商品投入箱に投入された商品の前記ＲＦタグを読み取るＲＦＩＤアンテナと、
前記読み取られた前記ＲＦタグが付された商品の決済処理を行う決済用端末と、
前記決済処理が完了すると、前記商品投入箱に投入された商品の前記ＲＦタグに対して決済が完了したことを示す情報を書き込むリーダ／ライタと
を備えるＲＦＩＤ物販システム。
【請求項２】
予め選択された商品の情報を取得する取得部をさらに備え、
前記決済用端末は、前記予め選択された商品の情報と、前記ＲＦＩＤアンテナによって読み取られた商品の情報とが一致する場合、前記決済処理を実行する、
請求項１に記載のＲＦＩＤ物販システム。
【請求項３】
前記決済用端末は、前記予め選択された商品の決済がすでに完了している場合、決済処理を行わない、請求項２に記載のＲＦＩＤ物販システム。
【請求項４】
前記商品投入箱に投入された商品の前記ＲＦタグは会員情報がさらに記録されており、
前記ＲＦＩＤアンテナは、前記商品投入箱に投入された商品の前記ＲＦタグとともに、顧客の会員情報が記録されている他のＲＦタグをさらに読み取り、
前記決済用端末は、前記商品投入箱に投入された商品の前記ＲＦタグに記録されている前記会員情報と、前記他のタグに記録されている顧客の会員情報とに基づいて、前記商品投入箱に投入された商品の購入可否を判断する、
請求項１から３のいずれか一項に記載のＲＦＩＤ物販システム。
【請求項５】
前記商品投入箱は１つまたは複数の着脱可能な側面を備え、
前記ＲＦＩＤアンテナは電波の指向性を有し、前記着脱可能な側面が取り外された状態において、前記商品投入箱の外部のＲＦタグを読み取らないように設置される、
請求項１から４のいずれか一項に記載のＲＦＩＤ物販システム。
【請求項６】
商品の商品識別情報および価格情報が記録されているＲＦタグが付された商品が投入される商品投入箱と、ＲＦＩＤアンテナと、を含んで構成されるコンピュータシステムによって実行される方法であって、
予め選択された商品の情報を取得するステップと、
前記商品投入箱に投入された商品の前記ＲＦタグを読み取るステップと、
前記予め選択された商品の情報と、前記読み取られた商品の情報とが一致する場合、前記読み取られた前記ＲＦタグが付された商品の決済処理を行うステップと、
前記決済処理が完了すると、前記商品投入箱に投入された商品の前記ＲＦタグに対して決済が完了したことを示す情報を書き込むステップと
を含む方法。
【請求項７】
前記予め選択された商品の決済がすでに完了している場合、決済処理を行わない、請求項６に記載の方法。
【請求項８】
商品の商品識別情報および価格情報が記録されているＲＦタグが付された商品が投入される商品投入箱と、ＲＦＩＤアンテナと、を含んで構成されるコンピュータシステムによって実行される方法であって、
予め購入された商品の情報を取得するステップと、
前記商品投入箱に投入された商品の前記ＲＦタグを読み取るステップと、
前記予め購入された商品の情報と、前記読み取られた商品の情報とが一致するかどうかを判定するステップと、
前記商品投入箱に投入された商品の受け渡しが完了すると、前記商品投入箱に投入された商品の前記ＲＦタグに対して受け渡しが完了したことを示す情報を書き込むステップと
を含む方法。
【請求項９】
購入商品情報が既に受け渡されているかどうかを判定するステップをさらに含む、請求項８に記載の方法。
【請求項１０】
コンピュータシステムに、請求項６から９のいずれか一項に記載の方法を実行させるためのプログラム。
【発明の詳細な説明】
【技術分野】
【０００１】
本発明は、ＲＦＩＤを用いる物販システムおよび方法に関する。
【背景技術】
【０００２】
コンサート等のイベント会場では、コンサートの関連グッズ等を販売するための物販スペースが設けられていることが多い。また、近年は物品の管理にＲＦＩＤ（radio frequency identifier）システムが採用される場合がある。物品に、物品ＩＤ、物品名、価格、色・サイズ、等の物品情報が記録されたＲＦ（radio frequency）タグを付しておき、ＲＦＩＤリーダに当該ＲＦタグを読み込ませることによって物品の管理を簡単に行うことができる。
【０００３】
例えば、特許文献１には、分別種類ごとに複数のリサイクル回収ボックスが設置されるリサイクル回収システムが開示されている。ＲＦタグが付されたリサイクル品がいずれかのリサイクル回収ボックスに投入されると、当該リサイクル回収ボックスの内部に設けられているＲＦＩＤリーダが当該リサイクル品に付されているＲＦタグから当該リサイクル品のリサイクル情報を読み取り、リサイクル品の分別が正しく行われたかを確認する。
【先行技術文献】
【特許文献】
【０００４】
【特許文献１】特開２００６−１６１１９号公報
【発明の概要】
【発明が解決しようとする課題】
【０００５】
しかしながら、特許文献１のような形態のＲＦＩＤシステムを物販システムとして採用した場合、精算を行う際に商品をボックスに投入したり取り出したりする手間が発生し、煩雑であり精算処理に時間もかかる。特にコンサート会場のように多数を人が来場する場所では、顧客一人あたりの決済に要する時間を短くして物販スペースの混雑を回避したいという要求が存在する。
【０００６】
また、物販の在庫数の予測は、過去に実施された同様のイベントの販売量、トラックの積載量、イベント主催者の意向等を勘案して決定されていた。物販の在庫数の予測は困難であり、在庫切れによる販売機会損失、または在庫過剰による返却作業の問題が発生していた。この問題の対策の１つとして、イベント来場者が事前に注文して配送する販売形式が考えられる。しかしながら、事前に注文して配送する販売形式は、イベント会場で販売される商品をイベントの前に配送してしまうこと、および受け取りができない場合があること等から、リアルタイムでの入手性が困難であり運用が難しい状況にあった。
【０００７】
本発明は、上記のような課題に鑑み、簡単な処理により短時間で決済処理を行うことが可能な物販システムおよび方法を提供する。本発明はまた、Ｗｅｂサイトにおいて事前に商品を販売して、イベント会場で受け渡すことができる物販システムおよび方法を提供する。
【課題を解決するための手段】
【０００８】
本発明の一態様であるＲＦＩＤ物販システムは、商品の商品識別情報および価格情報が記録されているＲＦタグが付された商品が投入される商品投入箱と、商品投入箱に投入された商品のＲＦタグを読み取るＲＦＩＤアンテナと、読み取られたＲＦタグが付された商品の決済処理を行う決済用端末と、決済処理が完了すると、商品投入箱に投入された商品のＲＦタグに対して決済が完了したことを示す情報を書き込むリーダ／ライタと、を備える。
【０００９】
また、本発明の他の態様は、商品の商品識別情報および価格情報が記録されているＲＦタグが付された商品が投入される商品投入箱と、ＲＦＩＤアンテナと、を含んで構成されるコンピュータシステムによって実行される方法であって、予め選択された商品の情報を取得するステップと、商品投入箱に投入された商品のＲＦタグを読み取るステップと、予め選択された商品の情報と、読み取られた商品の情報とが一致する場合、読み取られたＲＦタグが付された商品の決済処理を行うステップと、決済処理が完了すると、商品投入箱に投入された商品のＲＦタグに対して決済が完了したことを示す情報を書き込むステップと、を含む。
【００１０】
また、本発明の他の態様は、商品の商品識別情報および価格情報が記録されているＲＦタグが付された商品が投入される商品投入箱と、ＲＦＩＤアンテナと、を含んで構成されるコンピュータシステムによって実行される方法であって、予め購入された商品の情報を取得するステップと、商品投入箱に投入された商品のＲＦタグを読み取るステップと、予め購入された商品の情報と、読み取られた商品の情報とが一致するかどうかを判定するステップと、商品投入箱に投入された商品の受け渡しが完了すると、商品投入箱に投入された商品のＲＦタグに対して受け渡しが完了したことを示す情報を書き込むステップと、を含む。
【００１１】
また、本発明の他の態様は、コンピュータシステムに、上記の方法を実行させるためのプログラムである。
【発明の効果】
【００１２】
本発明によれば、特にコンサート会場のようなイベント会場にて大勢の人が商品を購入または受け取る場合であっても、非常に短い時間で販売または受け渡し処理を行うことができる。また、例えば当日のみ働くアルバイト店員等であっても、レジ操作のためのトレーニング等を行わなくても商品の販売または受け渡し処理を行うことができる。さらに、販売員は、正確に商品を販売または受け渡すことができるため、正確な在庫管理を行うことができる。
【図面の簡単な説明】
【００１３】
【図１】本発明の一実施形態に係るＲＦＩＤ物販システムの構成例を示す図である。
【図２】本発明の一実施形態に係る商品投入箱、収納箱、ＰＯＳレジ端末、および決済用端末の構成例を示す外観図である。
【図３】本発明の一実施形態に係る外箱、商品投入箱、および収納箱の構成例の斜視図である。
【図４】本発明の一実施形態に係る商品投入箱と収納箱の構成例の斜視図である。
【図５】本発明の一実施形態に係る外箱、商品投入箱、および収納箱の構成例の斜視図である。
【図６】本発明の一実施形態に係る外箱、商品投入箱、および収納箱の構成例の斜視図である。
【図７】ＰＯＳレジ端末のディスプレイ表示の一例を示す図である。
【図８】商品管理サーバが保持する情報の一例である。
【図９】商品管理サーバが保持する情報の一例である。
【図１０】本発明の一実施形態に係るＲＦＩＤ物販システムにおける各装置のハードウェア構成例を示す図である。
【図１１】本発明の一実施形態に係るＲＦＩＤ物販システムにおける処理の一例を示すフロー図である。
【図１２】本発明の一実施形態に係るＲＦＩＤ物販システムにおける処理の一例を示すフロー図である。
【図１３】本発明の一実施形態に係るＲＦＩＤ物販システムにおける処理の一例を示すフロー図である。
【図１４】本発明の一実施形態に係るＲＦＩＤ物販システムにおける処理の一例を示すフロー図である。
【図１５】本発明の一実施形態に係るＲＦＩＤ物販システムにおける処理の一例を示すフロー図である。
【発明を実施するための形態】
【００１４】
以下、図面を参照して、本発明の実施形態について説明する。以下の説明において参照する各図では、他の図と同等部分は同一符号によって示される。
【００１５】
図１は、本実施形態に係るＲＦＩＤ物販システムの構成例を示す図である。図１に示されるＲＦＩＤ物販システム１は、ＲＦＩＤアンテナ２０と、リーダ／ライタ１００と、ＰＯＳレジ端末１１０と、決済用端末１２０と、二次元コードリーダ１３０と、商品管理サーバ１４０と、物販Ｗｅｂサーバ１５０と、を含んで構成される。また、リーダ／ライタ１００は収納箱１４に収納されている。また、リーダ／ライタ１００とＰＯＳレジ端末１１０、およびＰＯＳレジ端末１１０と二次元コードリーダ１３０はそれぞれ無線または有線により接続され、商品の情報等を送受信することができる。ＰＯＳレジ端末１１０と決済用端末１２０は無線または有線により接続され、決済の情報等を送受信することができる。また、ＰＯＳレジ端末１１０と商品管理サーバ１４０は無線または有線のネットワーク１６０を介して接続されうる。
【００１６】
本実施形態に係るＲＦＩＤ物販システム１においては、コンサート等のイベント会場で販売される各商品に、例えば商品を識別する商品識別情報、商品名、価格、色・サイズ等の商品の情報を記憶したＲＦタグが取り付けられている。商品が販売される際には、商品投入箱１２に決済（精算）しようとする商品が投入される。商品投入箱１２に商品が投入されると、リーダ／ライタ１００はＲＦＩＤアンテナ２０を介して、逐次、当該商品に付されているＲＦタグを読み取る。
【００１７】
ここで、図２は、本実施形態に係る商品投入箱１２、収納箱１４、ＰＯＳレジ端末１１０、および決済用端末１２０の構成例を示す外観図である。図２では、外箱１１の中に、商品を投入する商品投入箱１２、収納箱１４、ＰＯＳレジ端末１１０、および決済用端末１２０が配置されている。ＰＯＳレジ端末１１０および決済用端末１２０は商品投入箱１２の横に配置されている。また、図２では図示されていないが、収納箱１４には、リーダ／ライタ１００、電源アダプタ、各種ケーブル、等が収納されている。リーダ／ライタ１００は商品投入箱１２の下方に配置されるＲＦＩＤアンテナ２０（図示されない）と有線にて接続されている。また、ＰＯＳレジ端末１１０（タッチパネル式）は、収納箱１４の上に配置されている。
【００１８】
商品投入箱１２は、顧客が購入しようとする商品であって当該商品を識別するための商品識別情報と価格情報とが記録されているＲＦタグが付された商品が投入される略直方体形状の箱であって、１つの底面と４つの側面とで構成される箱である。「略直方体」とは、ほぼ直方体であれば足りるという意味である。また、本実施形態の商品投入箱１２は、外箱１１から取り外すことが可能に構成されている。商品投入箱１２の材質は、厚紙、ダンボール（紙製）、プラスティック、プラスティックダンボール、等であってよい。特にプラスティックダンボールは強度がある上に軽く、持ち運びも容易である。また、物販購入スペースは屋外に設置される場合もあるが、少々雨で濡れたとしても傷みにくく都合がよい。
【００１９】
図２に示される構成例は、対面型の物販が想定されている（ただしこれに限定されない）。例えば、商品投入箱１２の一方の側（例えば図２の左側）に販売員が立ち、他方の側（例えば図２の右側）には商品を購入したい顧客が並ぶ。そして、顧客が販売員に購入したい商品を指示すると、販売員は、例えば自身の後方に陳列されている商品を手に取って商品投入箱１２に投入する。販売員が商品を商品投入箱１２に投入すると、商品投入箱１２の下方に設置されているＲＦＩＤアンテナ２０（図示されない）が当該商品に付されているＲＦタグを読み取る。販売員が顧客の指示に従って商品を順次、商品投入箱１２に投入していくと、ＲＦＩＤアンテナ２０は投入された商品に付されているＲＦタグを順次読み込んでいくということを繰り返す。そして、ＲＦタグから読み取られた各商品の単価を合計することで販売員が特段の操作をしなくても、精算すべき合計金額がＰＯＳレジ端末１１０にて算出され、決済処理に移行することができる。すなわち、本実施形態に係るＲＦＩＤ物販システム１によれば、販売員は従来のレジシステムのようにバーコードを読み取ったりレジを操作したりする方法を学ぶことなく、商品投入箱１２に商品を投入していくだけで、顧客が購入しようとする商品のＲＦタグが読み込まれていき、最終的に決済処理を行うことができる。例えば、その日のみ雇われたアルバイト等の店員に複雑なレジ操作のトレーニングをしなくても簡単に決済処理を行うことが可能である。また、特にコンサート会場のようなイベント会場にて大勢の人が商品購入する場合であっても、顧客一人あたりの決済に要する時間が短くなり、物販スペースでの混雑を回避することが可能となる。
【００２０】
図３は、図２に示される構成例の斜視図である。図３に図示されるように、本実施形態においては４つのＲＦＩＤアンテナ２０が外箱１１の底面に設置されており、その上方に商品投入箱１２が設置されるようになっている。また、外箱１１の底面および側面の内側には全体に亘りシート状の電波吸収シールドが装着されている（図示されない）。これにより、ＲＦＩＤアンテナ２０が商品投入箱１２の外側に存在する決済対象ではない商品のＲＦタグを誤って読み込んでしまうことを防止し、商品投入箱１２に投入された商品のＲＦタグのみを検出することを可能とする。また、図３に示されるように、本実施形態の構成例においては、外箱１１の寸法は、縦４４０ｍｍ、横７９５ｍｍ、高さ１７０ｍｍである。なお、ＲＦＩＤアンテナ２０は、商品投入箱１２に投入された商品に付されているＲＦタグと通信可能な範囲で他の位置に設けることも可能である。
【００２１】
また、図４は、本実施形態に係る商品投入箱１２と収納箱１４の構成例の斜視図である。商品投入箱１２の寸法は、縦４００ｍｍ、横５２０ｍｍ、高さ１４０ｍｍである。また、図示されないが、商品投入箱１２の厚さは１０ｍｍとしている。収納箱１４の寸法は、縦４１０ｍｍ、横２２０ｍｍ、高さ１５０ｍｍである。ＲＦＩＤアンテナ２０と商品投入箱１２に投入される商品に付されたＲＦタグとは、ＲＦＩＤアンテナ２０の厚み（高さ）および商品投入箱１２の厚みに応じて、ある程度の距離が存在することになる。
【００２２】
また、図３に示されるようにＲＦＩＤアンテナ２０の上方に商品投入箱１２が配置されるが、商品投入箱１２は取り外しが可能であるため、ＲＦＩＤアンテナ２０のメンテナンスを容易に行うことができる。なお、図３に例示される構成においては、ＲＦＩＤアンテナ２０は４つとなっているが、これに限定されない。ＲＦＩＤアンテナ２０の大きさや感度によって、ＲＦＩＤアンテナの数は適宜調整されうる。また、図３および図４に示された各寸法はあくまで例示であり、これに限定されない。例えばＲＦＩＤ物販システム１において取り扱われる商品のサイズ等によって商品投入箱１２の大きさが調整されてもよいし、ＲＦＩＤアンテナ２０のサイズや電波強度との関係によって商品投入箱１２の高さが決定される等となっていてもよい。
【００２３】
また、本実施形態では外箱１１の底面および側面の内側全体に渡って電波吸収シールドが装着されているが、商品投入箱１２の外側に存在する決済対象ではない商品のＲＦタグが読み込まれないようにするのが目的であるので、商品投入箱１２の４つの側面を囲むように電波吸収シールドが備えられていてもよい。例えば、商品投入箱１２の４つの側面の外面にシート状の電波吸収シールドが貼り付けられていてもよいし、商品投入箱１２が二重の箱になっており、二重の箱の間（４つの側面部分）にシート状の電波吸収シールドが挿入されるようになっていてもよい。
【００２４】
図１に戻り、複数の商品が商品投入箱１２に投入された場合には、ＲＦＩＤアンテナ２０（リーダ／ライタ１００）は、当該複数の商品に付されている各ＲＦタグを略同時に読み取ることが可能である。「略同時」とは、厳密に同時でなくとも、ほぼ同時であれば足りるという意味である。例えば、複数の商品に付されている各ＲＦタグを読み取る際に、読み取り処理に若干の時間差が生じうるが、それらも許容しうるということである。また、商品の形状等によりＲＦタグが取り付けられない場合は、商品に対応するＲＦタグのみが商品投入箱１２に投入されてもよい。
【００２５】
また、リーダ／ライタ１００は、決済が完了した商品のＲＦタグに対して「購入済み」を示すフラグ等の情報を書き込むことができる。イベント会場で販売される商品は、例えばＴシャツ、キャップ、ペンライト等のように購入してすぐ使用されることが多いという特徴がある一方、商品が未決済のまま物販エリア外に持ち出されることを防止する必要がある。持ち出し防止は、例えば、物販エリアの入退場口に設置されたＲＦＩＤアンテナにより、各商品のＲＦタグを読み取り、「購入済み」の情報が書き込まれていない商品を検知した場合、アラームを発生させる等により実装されてもよい。
【００２６】
また、ＲＦタグはさらに、イベントのチケットまたは顧客が有する会員カードに取り付けられてもよい。会員カードは、例えばイベントに関連するアーティスト等のファンクラブの会員であることを示すカードとすることができる。例えば、イベントのチケットまたは会員カードに取り付けられたＲＦタグには会員情報が記憶されており、ＲＦＩＤアンテナ２０は当該会員情報をも読み取ることができるようになっていてもよい。ＲＦＩＤアンテナ２０は、例えば１つまたは複数の商品に取り付けられたＲＦタグと、イベントのチケットまたは会員カードに取り付けられたＲＦタグを一括して略同時に読み取るようになっていてもよい。
【００２７】
また、ＲＦタグの読み取りに関してＵＨＦ（ultra high frequency）帯、ＨＦ（high frequency）帯等の周波数は問わず、読み取るＲＦタグの形状も問わない。ＲＦタグの破損等により正しく読み取れない場合等は、ＲＦタグの再発行、予備のＲＦタグなどにより対処してもよい。
【００２８】
ＰＯＳレジ端末１１０は、例えばＰＯＳ（point of sale）レジの機能を備えたタブレット端末、ＰＣ等とすることができる。ＰＯＳレジの機能は、ＰＯＳレジ端末１１０にインストールされるアプリケーションまたはＷｅｂアプリケーションにより実装されてもよい。ＰＯＳレジ端末１１０は、ＲＦＩＤアンテナ２０を介してリーダ／ライタ１００によって読み取られたＲＦタグの情報に基づいて、購入予定の商品の情報をＰＯＳレジ端末１１０のディスプレイに表示しうる。
【００２９】
図５は、本発明の一実施形態に係る外箱１１、商品投入箱１２、および収納箱１４の構成例の斜視図である。図５において、外箱１１および商品投入箱１２の１つまたは複数の側面（または部分）が着脱可能なように構成される。図５において、着脱可能な側面は網掛け部分で示された側面であり、着脱可能な側面が取り外された状態を二点鎖線で例示している。着脱可能な側面の幅は、商品投入箱１２の横幅の全部または一部としてもよい。着脱可能な側面は、外箱１１および商品投入箱１２のそれぞれが備えてもよく、取り外しを簡易にするために、外箱１１および商品投入箱１２の着脱可能な側面部分が一体に構成されてもよい。着脱可能な側面は、常時取り外されて使用されてもよく、電波吸収シールドを備えてもよい。着脱可能な側面を取り外すことによって、外箱１１および商品投入箱１２の縦幅を超える大きさの商品が投入できる。また、図２で説明したように、商品投入箱１２の一方の側に販売員が位置し、他方の側に顧客が位置する場合、着脱可能な側面は販売員の側のみ取り外されてもよい。販売員の側のみ着脱可能な側面が取り外されることによって、他の顧客が所持する商品のＲＦタグを読み取るリスクを回避できる。
【００３０】
図５はまた、図３に例示されたような指向性を問わないＲＦＩＤアンテナ２０に替えて、指向性のあるＲＦＩＤアンテナ２１を使用した構成を例示している。図５は、４つの指向性のあるＲＦＩＤアンテナ２１が外箱１１の底面に設置されており、その上方に商品投入箱１２が設置されることを例示している。また、図３と同様に、外箱１１の底面および着脱不可能な側面の内側には全体に亘りシート状の電波吸収シールドが装着されている（図示されない）。指向性のあるＲＦＩＤアンテナ２１は、単一指向性が好ましい形態であるが、双指向性等の他の指向性を有してもよい。指向性のあるＲＦＩＤアンテナ２１は、例えば棒状のモノポールアンテナ等により構成され得るが、これに限られない。指向性のあるＲＦＩＤアンテナ２１は、指向性に応じて、例えば着脱可能な側面に対して垂直に設置され、商品投入箱１２に投入された商品のＲＦタグを読み取ることができる。なお、指向性のあるＲＦＩＤアンテナ２１は、商品投入箱１２に投入された商品のＲＦタグと通信可能な範囲で他の位置に設けることも可能である。指向性のあるＲＦＩＤアンテナ２１の大きさや感度によって、ＲＦＩＤアンテナの数、設置角度、設置間隔等は適宜調整されうる。指向性のあるＲＦＩＤアンテナ２１を使用することで、着脱可能な側面が取り外された状態であっても、商品投入箱１２の外側に存在する決済対象ではない商品のＲＦタグは読み込まれない。
【００３１】
図６は、本発明の一実施形態に係る外箱１１、商品投入箱１２、および収納箱１４の構成例の斜視図である。図６は、図３に例示されたような指向性を問わないＲＦＩＤアンテナ２０に替えて、指向性のあるＲＦＩＤアンテナ２１を使用した構成を例示している。図５は、４つの指向性のあるＲＦＩＤアンテナ２１が外箱１１の底面に設置されており、その上方に商品投入箱１２が設置されることを例示している。また、図３と同様に、外箱１１の底面および側面の内側には全体に亘りシート状の電波吸収シールドが装着されている（図示されない）。指向性のあるＲＦＩＤアンテナ２１は、指向性に応じて、例えば商品投入箱１２の中心線（または各側面）に対して４５度の角度を有するように設置され、商品投入箱１２に投入された商品のＲＦタグを読み取ることができる。指向性のあるアンテナ２１は、このようにそれぞれ角度を設けて感度が高くなる箇所を調整することによって、商品投入箱１２の例えば中心付近にあるＲＦタグの読み取りを容易にすることができる。指向性のあるアンテナ２１は、例えば双指向性により、商品投入箱１２の中心とそれぞれの角に対して感度が高くなるように設置してもよい。なお、指向性のあるＲＦＩＤアンテナ２１は、商品投入箱１２に投入された商品のＲＦタグと通信可能な範囲で他の位置に設けることも可能である。指向性のあるＲＦＩＤアンテナ２１の大きさや感度によって、ＲＦＩＤアンテナの数、設置角度、設置間隔等は適宜調整されうる。指向性のあるＲＦＩＤアンテナ２１に角度を設けることで、商品投入箱１２の外側に存在する決済対象ではない商品のＲＦタグは読み込まれない。また、指向性のあるＲＦＩＤアンテナ２１は、任意的に、図５で例示した着脱可能な側面とともに構成してもよい。
【００３２】
図７は、ＰＯＳレジ端末１１０のディスプレイ表示の一例を示す図である。図７の例においては、商品名３１、商品ごとの数量３２、合計商品点数３３、合計金額３４、再読込ボタン３５が示されている。画面に表示される商品の情報は、ＲＦＩＤアンテナ２０によるＲＦタグの読み取りがリアルタイムで反映されてもよい。また、顧客から商品のキャンセルがあった場合に、例えば販売員が商品投入箱１２からキャンセルされた商品を取り出して「再読込」ボタン３５をタッチすると、商品投入箱１２に投入されている商品のＲＦタグを再読込して表示される商品の情報を更新する。販売者は、図７の画面に表示された合計金額３４などの情報を顧客とともに確認することにより、決済処理を進める。また、ＰＯＳレジ端末１１０は、決済用端末１２０により決済が完了すると、リーダ／ライタ１００に対して、ＲＦタグに「購入済み」を示すフラグ等の情報を書き込むように指示することができる。
【００３３】
図１に戻り、決済用端末１２０は、ＰＯＳレジ端末１１０から受信した決済情報に基づいて、決済を行う。決済用端末１２０は、例えば、ＣＡＴ（credit authorization terminal）／ＣＣＴ（credit center terminal）等とすることができる。また、決済用端末１２０は、レシートを印刷するプリンタ機能を備えてもよいし、外部のレシートプリンタと通信を行い、レシートを印刷するように構成されてもよい。なお、本実施形態においてはＰＯＳレジ端末１１０と決済用端末１２０とは別々の装置として説明されるが、これらは一体的に１つの装置として実現されてもよい。
【００３４】
二次元コードリーダ１３０は、二次元コードを読み取ることができるリーダであり、任意的に構成される。二次元コードは、例えばＱＲコード（登録商標）とすることができる。当該二次元コードは、顧客が会場で商品を購入する前に、予め物販Ｗｅｂサーバ１５０にアクセスして商品を選択（または予約）しておく場合に、選択した商品の情報等を含むコードである。二次元コードリーダ１３０は、読み取った二次元コードの情報をＰＯＳレジ端末１１０に送信する。二次元コードリーダ１３０における処理については後述する。なお、本実施形態においては予め選択された商品の情報を示すデータとして二次元コードを一例として採用するが、これらに限定されない。例えば、バーコードのような一次元コードであってもよいし、各商品が文字列で列挙されたデータ等であってもよい。
【００３５】
二次元コードはまた、顧客が会場に訪れる前に、予め物販Ｗｅｂサーバ１５０にアクセスして商品を購入しておく場合に、購入した商品を特定する情報等を含めてもよい。
【００３６】
商品管理サーバ１４０は、イベント会場で販売される商品の在庫管理機能および返品機能を備えたサーバである。商品の在庫管理機能および返品機能については、公知の技術を用いうる。商品管理サーバ１４０は、ネットワーク１６０を介してＰＯＳレジ端末１１０と接続され、商品の在庫状況等の情報を送受信することができる。
【００３７】
図８および図９は、商品管理サーバ１４０が保持しうる情報の一例である。図８は、商品マスタデータベース（ＤＢ）の一例である。図８に例示の商品マスタＤＢは、各商品の情報が記憶されるＤＢであり、各商品の商品コード（商品識別情報）、商品名、単価、等のデータを関連付けて保持する。また、図９は、売上情報ＤＢの一例である。売上情報ＤＢは、売上に関する情報が蓄積されるＤＢであり、決済用端末１２０で商品が決済されると、ＰＯＳレジ端末１１０から決済された商品群の情報が商品管理サーバ１４０に送信され、売上情報ＤＢに蓄積される。図９に例示の売上情報ＤＢは、各決済の伝票番号と、決済日時と、決済された商品の商品コードと、商品ごとの売上個数とを関連付けて保持する。なお、図８および図９に例示した情報はあくまで一例であり、これらに限定されない。
【００３８】
図１に戻り、物販Ｗｅｂサーバ１５０は、例えば顧客のスマートフォン、タブレット等からアクセスされ、イベント会場で販売される商品を事前に選択できるＷｅｂサイトを提供するサーバである。また、商品管理サーバ１４０と連携して在庫管理等を行ってもよい。在庫確保された商品は、販売者によってイベントの物販スペースに取り置きされるようになっていてもよい。
【００３９】
（ハードウェア構成例）
上記説明したＲＦＩＤ物販システム１における各装置は、一般的なコンピュータ装置と同様のハードウェア構成によって実現可能である。図１０は、ＲＦＩＤ物販システム１における各装置のハードウェア構成例を示す図である。図１０に示されるコンピュータ装置４０は、一例として、プロセッサ４１と、ＲＡＭ４２と、ＲＯＭ４３と、内蔵のハードディスク装置４４と、外付けハードディスク装置、ＣＤ、ＤＶＤ、ＵＳＢメモリ、メモリスティック、ＳＤカード等のリムーバブルメモリ４５と、他のコンピュータ装置と通信する通信インタフェース４６と、ユーザがデータのやり取りを行うための入出力ユーザインタフェース４７（ディスプレイ、タッチパネル、キーボード、マウス、スピーカ、ランプ等）とを備える。上述した本実施形態に係るＲＦＩＤ物販システム１における各装置の各機能は、例えば、プロセッサ４１が、ハードディスク装置４４やＲＯＭ４３、リムーバブルメモリ４５等にあらかじめ格納されたプログラムをＲＡＭ４２等のメモリに読み出して実行することで実現可能である。なお、図１０に示されるハードウェア構成はあくまで一例であって、これに限定されるものではない。また、コンピュータ装置４０の各構成は、一体的に構成されていてもよいし、一部が別の装置として構成されていてもよい。
【００４０】
（処理フロー）
図１１〜図１５は、本実施形態に係るＲＦＩＤ物販システムにおける処理の一例を示すフロー図である。図１１〜図１５の例においては、ＲＦＩＤ物販システム１の各装置が実行する処理は実線で、販売員等の処理は破線で示される（ただし、本発明の範囲はこれに限定されない）。
【００４１】
図１１は、本実施形態に係る商品決済の処理フローを例示する図である。以下、イベント会場で販売される商品を顧客が購入する場合について説明する。
【００４２】
販売員は顧客から購入したい商品の注文を受けると（ステップＳ１０２）、注文を受けた商品を商品投入箱１２に投入する（ステップＳ１０４）。ＲＦＩＤアンテナ２０は、１つまたは複数の商品が商品投入箱１２に投入されると当該商品のＲＦタグを読み取り、読み取られたデータはリーダ／ライタ１００に送信され、ＰＯＳレジ端末１１０のディスプレイに、商品名、個数等の商品の情報とともに合計金額が表示される（ステップＳ１０６）。
【００４３】
また、商品投入箱１２に商品を入れた後に、顧客から特定の商品をキャンセルする旨の指示を受けると（ステップＳ１０８：あり）、販売員は当該キャンセルする商品を商品投入箱１２から取り出し（ステップＳ１１０）、ＰＯＳレジ端末１１０のディスプレイに表示されている「再読込」ボタン３５をタッチする。ＰＯＳレジ端末１１０は、「再読込」ボタン３５がタッチ（選択）された旨の入力を受け付ける（ステップＳ１１２）。ＲＦＩＤアンテナ２０は、再度、商品投入箱１２に入っている各商品のＲＦタグを読み込み、ＰＯＳレジ端末１１０のディスプレイには、再検出された商品の商品名、個数等の商品の情報とともに合計金額が表示される（ステップＳ１０６）。なお、販売員がキャンセルされた商品を商品投入箱１２から取り出した場合（ステップＳ１１０）、自動的にＲＦＩＤアンテナ２０が商品の取り出しを検出してもよい。例えば、ＲＦＩＤアンテナ２０が商品投入箱１２の中の全ての商品のＲＦタグを再検出することを常時、繰り返しておくことで、再検出したＲＦタグの情報をＰＯＳレジ端末１１０のディスプレイに随時表示するようになっていてもよい。なお、商品のキャンセルのみならず、他の色やサイズに交換する場合等でも同様に処理可能である。
【００４４】
また、注文をキャンセルする商品がなく（ステップＳ１０８：なし）、購入したい商品の注文が全て完了した場合には（例えば販売員がその旨を顧客から指示される。ステップＳ１１４：Ｙｅｓ）、販売員は顧客に決済方法を確認する（ステップＳ１１６）。購入したい商品の注文が全て完了していない場合には（ステップＳ１１４：Ｎｏ）、ステップＳ１０２に戻り、商品の注文の受付が継続される。
【００４５】
ステップＳ１１６にて顧客が現金決済を希望する場合には、現金で決済処理が行われる（ステップＳ１１８）。顧客がクレジットカードによる決済を希望する場合には、決済用端末１２０にてクレジットカードで決済処理が行われる（ステップＳ１２０）。現金またはクレジットカードにより決済処理が完了すると、決済用端末１２０は、レシートを発行する（ステップＳ１２２）。なお、決済方法は、例えばデビットカード、電子マネー等による決済であってもよい。また、この時、決済処理した各商品のＲＦタグに決済済みの情報が書き込まれるようになっていてもよい。
【００４６】
ステップＳ１１８またはＳ１２０にて決済が完了すると、売上情報が商品管理サーバ１４０に送信される（ステップＳ１２４）。具体的には、図９に例示されるような売上情報ＤＢに決済情報が書き込まれる。このように売上情報が決済完了ごとに商品管理サーバ１４０に送信されることで、商品管理サーバ１４０にて売上状況をリアルタイムにモニタリングすることも可能である。これにより、在庫補充の必要性を判断することができる。例えば売り切れになりそうな商品の情報が商品管理サーバ１４０からＰＯＳレジ端末１１０に送信され、ＰＯＳレジ端末１１０のディスプレイにその旨が表示される等となっていてもよい。
【００４７】
このように、本実施形態に係るＲＦＩＤ物販システム１によれば、販売員は顧客の指示に従って所望の商品を商品投入箱１２に投入していくという簡単な処理だけで商品の販売を行うことができる。よって、特にコンサート会場のようなイベント会場にて大勢の人が商品購入する場合であっても、非常に短い時間で販売処理を行うことができる。また、例えば当日のみ働くアルバイト店員等であっても、レジ操作のためのトレーニング等を行わなくても商品の販売処理を行うことができる。
【００４８】
また、別の実施例として、決済する商品に、例えばファンクラブ会員限定等の特定の来場者のみにしか販売しない商品が含まれる場合には、会員情報が記録されたＲＦタグが付されている会員カードを顧客に商品投入箱１２に投入させ、ＲＦＩＤアンテナ２０が商品のＲＦタグとともに会員カードのＲＦタグも読み取るようになっていてもよい。これにより、ＰＯＳレジ端末１１０は特定の来場者のみを対象とする限定商品の購入可否を判定することができる。さらに詳細には、購入可否の判定は、例えば、ＲＦタグに記録される商品の情報に「会員限定商品」を示すフラグ等がさらに含まれていてもよく、「会員限定商品」を示すフラグと、会員カードからの会員情報の取得有無とにより判定するようにしてもよい。すなわち、会員情報が取得できた場合には正常に決済処理へ進むことができ、会員限定商品のフラグを有する商品が購入できる、という具合である。また、購入可否の判定が購入不可である場合、例えばＰＯＳレジ端末１１０のディスプレイに「購入不可」を示す警告情報を表示する、または警告音を発する等を行ってもよい。そして、警告が出た場合には、例えば顧客や販売者が会員限定商品を買い物かごから取り除いて、再度、ステップＳ１０６の処理をやり直すようになっていてもよい。これにより、例えば非会員の顧客が会員限定商品を間違えて購入しようとすること等を防止することができる。
【００４９】
さらに、会員情報とクレジットカード情報とを関連付けて商品管理サーバ１４０に格納しておくことにより、イベント会場でクレジットカードを提示しなくても購入可能とすることができる。例えば、商品投入箱１２に、購入しようとする商品と顧客の会員カードとが一緒に投入されると、ＲＦＩＤアンテナ２０は会員カードのＲＦタグから会員情報を読み出し、この会員情報に関連付けられているクレジットカード情報を商品管理サーバ１４０に問い合わせる。そして、決済用端末１２０は、当該会員情報に関連付けられているクレジットカード情報を商品管理サーバ１４０から取得してカード決済処理を実行するようになっていてもよい。このようにすることで、会員限定商品の購入について、顧客一人あたりの決済に要する時間がさらに短くなり、混雑をより緩和することができる。
【００５０】
図１２および図１３は、本実施形態に係る商品決済の処理フローの別の例を示す図である。本例においては、イベント会場で販売される商品を顧客が事前にＷｅｂサイトにアクセスして選択しておき、イベント会場で購入する。
【００５１】
図１２は、顧客が事前にＷｅｂサイトにアクセスして商品を選択する場合の処理フロー図の一例を示す。
【００５２】
顧客は、物販Ｗｅｂサーバ１５０が提供する物販のＷｅｂサイトにアクセスする（ステップＳ２０２）。物販のＷｅｂサイトは、顧客がイベント会場を訪れる前にイベントのホームページからアクセスしてもよいし、顧客が携帯するスマートフォン等を使用して、イベント会場に設けられた二次元コード、ＵＲＬ等の情報を使用してイベント当日にアクセスしてもよい。
【００５３】
顧客は、物販のＷｅｂサイトで購入したい商品を事前選択する（ステップＳ２０４）。事前選択可能な商品は、例えば、イベント会場で一般販売される商品、またはイベントに関連するアーティスト等のファンクラブの会員等を対象とする限定販売商品とすることができる。限定販売商品は、例えば会員ＩＤとパスワードによる個人認証を行うことにより実現され得る。事前選択商品が確定すると、商品管理サーバ１４０に事前選択商品の情報が登録され、在庫確保が行われるようになっていてもよい。また、販売者は、イベント会場の物販スペースにおいて、在庫確保された事前選択商品の取り置きを行うようになっていてもよい。また、物販Ｗｅｂサーバ１５０は、事前選択された商品を特定する情報（事前選択された商品群を一意に識別する注文番号等であってもよい）が含まれる二次元コードを生成し、Ｗｅｂサイトに表示したり、顧客へのメール送信や会員専用のページにて二次元コードを提供する。顧客は、例えば提供された二次元コードを携帯するスマートフォン等に保存しておく（図１２のステップＳ２０４）。または、イベント会場にて商品を購入する際に、物販Ｗｅｂサーバ１５０から送信されたメールのリンクや会員専用ページにアクセスすることで携帯しているスマートフォン等の画面に表示するようにしてもよい。
【００５４】
図１３は、顧客が事前にＷｅｂサイトで商品を選択した後に、イベント会場の物販スペースで商品を購入する場合の処理フローの一例を示す図である。
【００５５】
顧客はイベント会場の物販スペースにおいて、二次元コードを自身のスマートフォンの画面に表示させる等して二次元コードリーダ１３０にかざすと、二次元コードリーダ１３０は当該二次元コードを読み取る（ステップＳ３０２）。読み取られた二次元コードには、顧客が事前に物販Ｗｅｂサイトで選択した商品を特定する情報（例えば、商品名、商品コード、単価、個数、色・サイズ等の情報）が含まれているため、例えばＰＯＳレジ端末１１０のディスプレイや販売員が携行しているスマートフォン等の携帯端末に事前選択された商品の情報が表示される。
【００５６】
販売員は、二次元コードで特定される事前選択された商品をＰＯＳレジ端末１１０のディスプレイや自身のスマートフォン等で確認しながら商品投入箱１２に投入する（ステップＳ３０４）。ＲＦＩＤアンテナ２０は、１つまたは複数の商品が商品投入箱１２に投入されると当該商品のＲＦタグを読み取り、読み取られたデータはリーダ／ライタ１００に送信され、ＰＯＳレジ端末１１０のディスプレイに、商品名、個数等の商品の情報とともに合計金額が表示される（ステップＳ３０６）。
【００５７】
ＰＯＳレジ端末１１０は、商品投入箱１２から読み出された商品と、二次元コードによって特定される１つまたは複数の商品とを照合して、両者が一致するか判断する。不足している商品や事前選択されていない商品があれば、その旨をディスプレイに表示する等してもよい（ステップＳ３０８）。なお、ステップＳ３０８の処理は販売員が目視で行うことも可能である。商品が不足している場合には（ステップＳ３０８：Ｎｏ）、ステップＳ３０４に戻り、販売員は不足している商品を商品投入箱１２に入れる。また、事前選択されていない商品を誤って商品投入箱１２に投入していた場合には、販売員はそれらの商品を商品投入箱１２から取り出す。この時の処理は、図１１のステップＳ１１０およびＳ１１２について説明した処理と同様の処理が実行されるようになっていればよい。
【００５８】
商品投入箱１２に投入された１つまたは複数の商品と二次元コードによって特定される１つまたは複数の商品とが一致した場合は（ステップＳ３０８：Ｙｅｓ）、販売員は顧客に決済方法を確認する（ステップＳ３１０）。顧客が現金決済を希望する場合には決済用端末１２０にて現金で決済処理が行われる（ステップＳ３１２）。顧客がクレジットカードによる決済を希望する場合には、決済用端末１２０にてクレジットカードで決済処理が行われる（ステップＳ３１４）。現金またはクレジットカードにより決済処理が完了すると、決済用端末１２０は、レシートを発行する（ステップＳ３１６）。決済が完了すると、売上情報が商品管理サーバ１４０に送信される（ステップＳ３１８）。ステップＳ３１０〜Ｓ３１８における処理は、図１１のステップＳ１１６〜Ｓ１２４における処理と同様である。
【００５９】
なお、顧客が事前選択しておいた商品以外にも追加で購入したい商品やキャンセルしたい商品がある場合には、ステップＳ３１０以降で決済処理を行う前に、商品投入箱１２に商品を追加したり、商品を取り出してもよい。また、物販Ｗｅｂサイトで事前に決済まで行っておき、ステップＳ３０８で商品群の一致を確認した後、ステップＳ３１０以降の決済処理を省いて商品を顧客に引き渡すだけにしてもよい。顧客一人あたりの決済に要する時間がさらに短くなる。
【００６０】
さらに、別の実施形態において、顧客がイベントのチケットを購入する際、物販のＷｅｂサイトで商品を事前選択（購入）できるようにしてもよい。そして、事前選択（購入）された商品の情報を含む二次元コードが物販Ｗｅｂサーバ１５０から顧客に提供されてもよい。また、事前選択（購入）された商品の情報を含むＲＦタグが、イベントのチケットに取り付けられてもよい。顧客は、ＲＦタグが取り付けられたイベントのチケットを郵送等によって入手することができる。イベントのチケットに取り付けられたＲＦタグは、上述した会員カードの場合と同様に商品投入箱１２に商品と一緒に投入されることによってＲＦＩＤアンテナ２０によって読み取られるようになっていてもよい。このようにすることで、顧客一人あたりの決済に要する時間が短くなり、混雑をより緩和することができる。
【００６１】
図１４および図１５は、本実施形態に係る商品決済の処理フローの別の例を示す図である。本例においては、イベント会場で販売される商品を顧客が事前にＷｅｂサイトにアクセスして購入しておき、イベント会場で商品を受け取る。
【００６２】
図１４は、顧客が事前にＷｅｂサイトにアクセスして商品を購入する場合の処理フロー図の一例を示す。
【００６３】
顧客は、物販Ｗｅｂサーバ１５０が提供する物販のＷｅｂサイトにアクセスする（ステップＳ４０２）。物販のＷｅｂサイトは、顧客がイベント会場を訪れる前にイベントのホームページからアクセスしてもよいし、顧客が携帯するスマートフォン等を使用して、イベント会場に設けられた二次元コード、ＵＲＬ等の情報を使用してイベント当日にアクセスしてもよい。
【００６４】
顧客は、物販のＷｅｂサイトで商品を事前購入する（ステップＳ４０４）。事前購入可能な商品は、例えば、イベント会場で一般販売される商品、またはイベントに関連するアーティスト等のファンクラブの会員等を対象とする限定販売商品とすることができる。限定販売商品は、例えば会員ＩＤとパスワードによる個人認証を行うことにより実現され得る。事前購入商品が確定すると、商品管理サーバ１４０に事前購入商品の情報が登録され、在庫確保が行われる。また、販売者は、イベント会場の物販スペースにおいて、在庫確保された事前購入商品の取り置きを行う。また、物販Ｗｅｂサーバ１５０は、事前購入された商品を特定する情報（事前購入された商品群を一意に識別する注文番号等であってもよい）が含まれる二次元コードを生成し、顧客へのメール送信や会員専用のページにて二次元コードを提供する。顧客は、例えば提供された二次元コードを携帯するスマートフォン等に保存しておく（ステップＳ４０４）。または、イベント会場にて商品を購入する際に、物販Ｗｅｂサーバ１５０から送信されたメールのリンクや会員専用ページにアクセスすることで携帯しているスマートフォン等の画面に表示するようにしてもよい。
【００６５】
図１５は、顧客が事前にＷｅｂサイトで商品を購入した後に、イベント会場の物販スペースで商品を受け取る場合の処理フローの一例を示す図である。
【００６６】
ＰＯＳレジ端末１１０は、商品管理サーバ１４０と商品の在庫情報の同期を取る（ステップＳ５０２）。商品管理サーバ１４０は、イベント会場に設置された複数のＰＯＳレジ端末１１０から売上情報、その他情報を送受信しているため、在庫情報が最新の情報に更新されていればよい。
【００６７】
顧客はイベント会場の物販スペースにおいて、二次元コードを自身のスマートフォンの画面に表示させる等して二次元コードリーダ１３０にかざすと、二次元コードリーダ１３０が当該二次元コードを読み取る（ステップＳ５０４）。二次元コードの読み取りが失敗した場合、ＰＯＳレジ端末１１０のディスプレイ等に「読み取り不備」を示すメッセージ等を表示してもよい。
【００６８】
ＰＯＳレジ端末１１０は、読み取られた二次元コードに含まれる事前購入された商品を特定する情報（例えば、注文番号等）を使用して、購入商品情報を取得する（ステップＳ５０６）。購入商品情報は、例えば二次元コードに含まれる注文番号を使用して物販Ｗｅｂサーバ１５０に購入商品情報を問い合わせて取得されてもよく、例えば商品名、商品コード、単価、個数、色・サイズ等の情報を使用して購入商品情報が特定されてもよい。
【００６９】
ＰＯＳレジ端末１１０は、取得した購入商品情報に基づいて、購入商品が既に受け渡されているかどうかを判定する（ステップＳ５０８）。判定は、例えば商品管理サーバ１４０に売上情報が登録されているかどうか等により行われ得る。購入商品が既に受け渡されている場合（ステップＳ５０８：ＹＥＳ）、処理を終了する。購入商品が既に受け渡されている場合、ＰＯＳレジ端末１１０のディスプレイに「受け渡し済」を示す警告情報を表示する、または警告音を発する等を行ってもよい。このようにすることで、購入商品の重複受け渡しが防止される。
【００７０】
購入商品がまだ受け渡されていない場合（ステップＳ５０８：ＮＯ）、商品名、個数等の購入商品情報を出力する（ステップＳ５１０）。出力は、ＰＯＳレジ端末１１０のディスプレイへの表示、リストを印刷すること等により行われてもよく、無線通信により購入商品情報を販売員が携帯するスマートフォン等に送信し、表示させるようにしてもよい。
【００７１】
販売員は、事前購入された商品をＰＯＳレジ端末１１０のディスプレイ、印刷されたリスト、または自身のスマートフォン等で確認しながら商品投入箱１２に投入する（ステップＳ５１２）。
【００７２】
ＲＦＩＤアンテナ２０は、１つまたは複数の商品が商品投入箱１２に投入されると当該商品のＲＦタグを読み取り、読み取られたデータはリーダ／ライタ１００に送信される（ステップＳ５１４）。
【００７３】
ＰＯＳレジ端末１１０は、商品投入箱１２に投入された１つまたは複数の商品の情報と、二次元コードによって特定される１つまたは複数の商品の情報とを照合して、両者が一致するか判定する（ステップＳ５１６）。不足している商品や事前購入されていない商品がある場合、ＰＯＳレジ端末１１０のディスプレイにその旨を示すメッセージを表示する等してもよい。なお、ステップＳ５１６の処理は販売員が目視で行うことも可能である。商品が不足している場合には（ステップＳ５１６：Ｎｏ）、ステップＳ５１２に戻り、販売員は不足している商品を商品投入箱１２に入れる。また、事前購入されていない商品を誤って商品投入箱１２に投入していた場合には、販売員はそれらの商品を商品投入箱１２から取り出す。この時の処理は、図１１のステップＳ１１０およびＳ１１２について説明した処理と同様の処理が実行されるようになっていればよい。
【００７４】
商品投入箱１２に投入された１つまたは複数の商品の情報と二次元コードによって特定される１つまたは複数の商品の情報とが一致した場合（ステップＳ５１６：Ｙｅｓ）、販売員は顧客に商品を受け渡す。ＰＯＳレジ端末１１０は、商品を受け渡したことを示す情報が商品管理サーバ１４０に送信する（ステップＳ５１８）。商品を受け渡したことを示す情報は、売上情報としてもよい。
【００７５】
このようにすることで、販売員は顧客が事前に購入した商品の情報に従って、商品を商品投入箱１２に投入していくという簡単な処理だけで、正確に商品を受け渡すことができる。また、商品の受け渡し時に決済時間を要しないため、特にコンサート会場のようなイベント会場にて大勢の人が商品を受け取る場合であっても、非常に短い時間で受け渡し処理を行うことができる。さらに、例えば当日のみ働くアルバイト店員等であっても、レジ操作のためのトレーニング等を行わなくても商品の受け渡し処理を行うことができる。
【００７６】
ここまで、本発明の一実施形態について説明したが、本発明は上述の実施形態に限定されず、その技術的思想の範囲内において種々異なる形態にて実施されてよいことは言うまでもない。
【００７７】
例えば、上記説明した商品投入箱１２は取り外し可能に構成されているため、顧客は商品投入箱１２を買い物かごのように用いて購入したい商品を商品投入箱１２に入れてレジに持っていき、商品の入った商品投入箱１２を外箱１１の内部のＲＦＩＤアンテナ２０または指向性のあるＲＦＩＤアンテナ２１の上方のスペースに載置するようになっていてもよい。
【００７８】
また、上記した実施形態においてはＲＦＩＤアンテナ２０または指向性のあるＲＦＩＤアンテナ２１とリーダ／ライタ１００とが別々に構成されていたが、これらは一体的に構成されていてもよい。一体的に構成されたＲＦＩＤアンテナ２０または指向性のあるＲＦＩＤアンテナ２１とリーダ／ライタ１００が、商品の投入時に商品投入箱１２の下方に位置するようになっていればよい。
【００７９】
また、上記した実施形態においては顧客が予め選択または購入した商品を特定する方法として二次元コードを採用したが、これに限定されない。商品を特定できればよく、バーコードのような一次元コード、商品名や商品コード等の商品識別情報、個数、色・サイズ等、および単価等の選択または購入した商品を特定するための情報を列挙した文字列、事前注文を一意に識別する注文番号（販売員が注文番号ごとの商品群の情報を取得できる場合）、等であってもよい。そして、イベント会場の物販スペースにて、これらの情報が電子データにより、または紙ベースで顧客からＰＯＳレジ端末１１０または販売員に提供されるようになっていてもよい。
【００８０】
また、上記した実施形態においてはＲＦＩＤ物販システム１がコンサート等のイベント会場で用いられることが想定されているが、これに限定されない。例えば、物品販売を行う小売業のレジにも採用可能である。特許文献１のようなボックス型のＲＦタグ検出システムでは、物品をボックスに入れたり出したりする手間が煩雑である。これに対し、上記実施形態に係るＲＦＩＤ物販システム１では、上面がオープンとなっている箱型の商品投入箱１２にＲＦタグ付きの商品を投入していくだけで簡単に決済することが可能であるため、決済にかかる時間が短縮されるとともに、レジ操作に不慣れな者であっても決済処理を行うことができる。
【００８１】
本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【符号の説明】
【００８２】
１  ＲＦＩＤ物販システム
１２  商品投入箱
１４  収納箱
２０  ＲＦＩＤアンテナ
２１  指向性のあるＲＦＩＤアンテナ
１００  リーダ／ライタ
１１０  ＰＯＳレジ端末
１２０  決済用端末
１３０  二次元コードリーダ
１４０  商品管理サーバ
１５０  物販Ｗｅｂサーバ
１６０  ネットワーク
【図１】
2020057349.tif 000003
【図２】
2020057349.tif 000004
【図３】
2020057349.tif 000005
【図４】
2020057349.tif 000006
【図５】
2020057349.tif 000007
【図６】
2020057349.tif 000008
【図７】
2020057349.tif 000009
【図８】
2020057349.tif 000010
【図９】
2020057349.tif 000011
【図１０】
2020057349.tif 000012
【図１１】
2020057349.tif 000013
【図１２】
2020057349.tif 000014
【図１３】
2020057349.tif 000015
【図１４】
2020057349.tif 000016
【図１５】
2020057349.tif 000017